(57)【要約】生物試料処理装置は、中央処理装置と、中央処理装置と通信するディスプレイと、中央処理装置と通信した、装置の特性のタイプを選択するセレクタとを持つ。特性のタイプの選択は、中央処理装置を促して、選択された特性のタイプに対応する生物試料処理のための予めプログラムされたプロトコルのリストをディスプレイに表示させる。
2009540336.tif 000002
【特許請求の範囲】
【請求項１】
中央処理装置と、
中央処理装置と通信するディスプレイと、
中央処理装置と通信した、装置の特性のタイプを選択する手段と、
を具備する生物試料処理装置において、
特性のタイプの選択は中央処理装置を促して、選択された特性のタイプに対応する生物試料処理のための、予めプログラムされたプロトコルのリストをディスプレイに表示させることを特徴とする生物試料処理装置。
【請求項２】
請求項１に記載の装置において、選択の手段はユーザインタフェースであることを特徴とする装置。
【請求項３】
請求項２に記載の装置において、ユーザインタフェースはキーパッドまたはタッチスクリーンであることを特徴とする装置。
【請求項４】
請求項１に記載の装置において、装置はさらにＲＦＩＤ読取装置を具備し、選択の手段は、装置と協働するように構成されたウエルのカートリッジに付与されたＲＦＩＤタグであることを特徴とする装置。
【請求項５】
請求項１に記載の装置において、装置はさらにバーコード読取装置を含み、選択の手段は、装置と協働するように構成されたウエルのカートリッジに付与されたバーコードであることを特徴とする装置。
【請求項６】
請求項１に記載の装置において、装置はさらに光学的文字認識のできる装置を含み、選択の手段は、装置と協働するように構成されたウエルのカートリッジに付与された語または句であることを特徴とする装置。
【請求項７】
請求項１に記載の装置において、装置はさらに中央処理装置と通信する不揮発性メモリを含み、不揮発性メモリには選択された特性のタイプを示すデータが格納されることを特徴とする装置。
【請求項８】
請求項１に記載の装置において、さらにプロトコルのモードを選択する手段を具備することを特徴とする装置。
【請求項９】
請求項１に記載の装置において、さらに基準容量溶出モードと低容量溶出モードから選択する手段を具備することを特徴とする装置。
【請求項１０】
請求項１に記載の装置において、特性のタイプは研究特性、臨床特性、または鑑識特性であることを特徴とする装置。
【請求項１１】
奥行の次元と、幅の次元と、高さの次元とを持つフレームと、
フレームに滑動可能に取り付けられた少なくとも１つのプランジャと、
フレームに滑動可能に取り付けられ、少なくとも１つのプランジャの下方に位置するプラットフォームと、
フレームに接続された中央処理装置と、
中央処理装置と通信するディスプレイと、
中央処理装置と通信した、装置の特性のタイプを選択する手段と、
を具備する生物試料処理装置において、
プランジャは高さの次元を滑動し、
プラットフォームは奥行の次元を滑動し、
特性のタイプの選択は中央処理装置を促し、選択された特性のタイプに対応する生物試料処理のための予めプログラムされたプロトコルのリストをディスプレイに表示させ、そして
ユーザが予めプログラムされたプロトコルのリストからプロトコルを選択すると、中央処理装置は少なくとも１つのプランジャとプラットフォームとの動きを制御する、ことを特徴とする装置。
【請求項１２】
請求項１１に記載の装置において、選択の手段はユーザインタフェースであることを特徴とする装置。
【請求項１３】
請求項１２に記載の装置において、ユーザインタフェースはキーパッドまたはタッチスクリーンであることを特徴とする装置。
【請求項１４】
請求項１１に記載の装置において、装置はさらにＲＦＩＤ読取装置を具備し、選択の手段は、装置と協働するように構成されたウエルのカートリッジに付与されたＲＦＩＤタグであることを特徴とする装置。
【請求項１５】
請求項１１に記載の装置において、装置はさらにバーコード読取装置を含み、選択の手段は、装置と協働するように構成されたウエルのカートリッジに付与されたバーコードであることを特徴とする装置。
【請求項１６】
請求項１１に記載の装置において、装置はさらに光学的文字認識のできる装置を含み、選択の手段は、装置と協働するように構成されたウエルのカートリッジに付与された語または句であることを特徴とする装置。
【請求項１７】
請求項１１に記載の装置において、装置はさらに中央処理装置と通信する不揮発性メモリを含み、不揮発性メモリには選択された特性のタイプを示すデータが格納されることを特徴とする装置。
【請求項１８】
請求項１１に記載の装置において、さらにプロトコルのモードを選択する手段を具備することを特徴とする装置。
【請求項１９】
請求項１１に記載の装置において、さらに基準容量溶出モードと低容量溶出モードから選択する手段を具備することを特徴とする装置。
【請求項２０】
請求項１１に記載の装置において、特性のタイプは研究特性、臨床特性、または鑑識特性であることを特徴とする装置。
【請求項２１】
中央処理装置と、
中央処理装置と通信するディスプレイと、
中央処理装置と通信した、特性のタイプのセレクタと、
を具備する生物試料処理装置において、
特性のタイプのセレクタによる特性のタイプの選択は中央処理装置を促して、選択された特性のタイプに対応する生物試料処理のための予めプログラムされたプロトコルのリストをディスプレイに表示させることを特徴とする装置。
【請求項２２】
請求項２１に記載の装置において、特性のタイプのセレクタはユーザインタフェースであることを特徴とする装置。
【請求項２３】
請求項２２に記載の装置において、ユーザインタフェースはキーパッドまたはタッチスクリーンであることを特徴とする装置。
【請求項２４】
請求項２１に記載の装置において、装置はさらにＲＦＩＤ読取装置を具備し、特性のタイプのセレクタは、装置と協働するように構成されたウエルのカートリッジに付与されたＲＦＩＤタグであることを特徴とする装置。
【請求項２５】
請求項２１に記載の装置において、装置はさらにバーコード読取装置を含み、特性のタイプのセレクタは、装置と協働するように構成されたウエルのカートリッジに付与されたバーコードであることを特徴とする装置。
【請求項２６】
請求項２１に記載の装置において、装置はさらに光学的文字認識のできる装置を含み、特性のタイプのセレクタは、装置と協働するように構成されたウエルのカートリッジに付与された語または句であることを特徴とする装置。
【請求項２７】
請求項２１に記載の装置において、装置はさらに中央処理装置と通信する不揮発性メモリを含み、不揮発性メモリには選択された特性のタイプを示すデータが格納されることを特徴とする装置。
【請求項２８】
請求項２１に記載の装置において、さらにプロトコルのモードを選択する手段を具備することを特徴とする装置。
【請求項２９】
請求項２１に記載の装置において、さらに基準容量溶出モードと低容量溶出モードから選択する手段を具備することを特徴とする装置。
【請求項３０】
請求項２１に記載の装置において、特性のタイプは研究特性、臨床特性、または鑑識特性あることを特徴とする装置。
【発明の詳細な説明】
【技術分野】
【０００１】
本出願は、２００６年６月１６日付米国特許仮出願第６０／８１４，０６３号の利益を請求するものである。
本発明は、装置の特性のタイプを選択するためのセレクタを持つ、生物試料処理装置に関する。本発明は、装置のユーザに、予めプログラムされたプロトコルのリストから選択すれば関与のプロトコルだけが表示される能力を提供する。予めプログラムされたプロトコルのリストからの選択は、ユーザに装置の各特性のタイプを選択させることにより実行される。例えば、ユーザは、装置を研究装置、臨床装置、または鑑識装置に指定することができる。装置を例えば研究装置として選択すれば、装置のディスプレイは研究アプリケーションに関与のプロトコルのみを表示する。このとき鑑識アプリケーションと臨床アプリケーションとだけに適用するプロトコルは隠蔽される。装置を例えば鑑識装置として選択すれば、装置のディスプレイは鑑識アプリケーションに関与のプロトコルのみを表示する。このとき研究アプリケーションと臨床アプリケーションとだけに適用するプロトコルは隠蔽される。また、装置を例えば臨床装置として選択すれば、装置のディスプレイは臨床アプリケーションに関与のプロトコルのみを表示する。このとき研究アプリケーションと鑑識アプリケーションとだけに適用するプロトコルは隠蔽される。
【背景技術】
【０００２】
生物試料の処理は、例えば研究者や鑑識科学者にとって重要な技術であるから、核酸（例えばＤＮＡ並びにＲＮＡ）や、蛋白質などその他の生体試料の処理には広範囲の応用が伴う。研究者は処理した核酸を用いて病気の発生原因を決定できると同時に、薬やワクチンなどの治療法を開発できる。例えば鑑識科学者は、処理した生体試料を用いて容疑者が犯罪を犯したかどうかを決定できる。
【０００３】
処理した生体試料を利用する膨大な応用は、生体試料を処理（例えば浄化）するためのプロトコルをオートメーション化する装置の研究者や鑑識科学者による要請を強めている。オートメーションは、生物処理プロトコルの整合性と再現性とにとってはもちろん、一連の管理問題にとっても重要である。例えば、処理プロトコルの精確な実行を保証する能力は、特定の試料が操作者の失敗の結果として汚染したり汚損したりする問題と懸念とを軽減する助けとなる。技術者や研究者が介入せずに、装置に試料を配置して装置に試料の生体試料を処理させることができれば、処理運転の結果の確実性と信頼性とを高めることができる。
【０００４】
オートメーションの要請の結果として、多種多様な会社が生体試料を処理できる装置を創造している。一部のこうした機械例えばスイスのＴｅｃａｎ  Ｔｒａｄｉｎｇ  ＡＧ製造のＦｒｅｅｄｏｍ  ＥＶＯ（登録商標）、カルフォルニア州フラートンのＢｅｃｋｍａｎ  Ｃｏｕｌｔｅｒ製造のＢｉｏｍｅｋ（登録商標）  ２０００  Ｌａｂｏｒａｔｏｒｙ  Ａｕｔｏｍａｔｉｏｎ  Ｗｏｒｋｓｔａｔｉｏｎ、並びにドイツのＥｐｐｅｎｄｏｒｆ製造のＥｐｐｅｎｄｏｒｆ（登録商標）  ｅｐＭｏｔｉｏｎＴＭ、は比較的高い処理能力を持つ。その他例えばウイスコンシン州マディソンのＰｒｏｍｅｇａ  Ｃｏｒｐｏｒａｔｉｏｎ製造のＭａｘｗｅｌｌＴＭ、は低処理量である。一般に、生物処理プロトコルをオートメーション化する装置は、ユーザが関与の特定のプロトコルに基づいて選択することのできる多数のプロトコルを格納できる。加えて、こうした装置の多くは、基礎研究業務と同時に鑑識や臨床の業務も実行する会社や機関が使用する。
【０００５】
装置の多設定での使用（例えば研究設定、臨床設定、鑑識科学設定）の可能性は、ユーザの機能の要請を装置が満足させるべく装置のメモリに格納すべきプロトコルの数を増やす。一方、さまざまなプロトコルは単一の業務機能しか持てない。つまり、一方のプロトコルは基礎研究設定でのみ用をなし、他方のプロトコルは鑑識科学設定や臨床設定でのみ用をなす。１つの設定でしか適用性がないにも拘わらず、２つのプロトコルの各々は同様であるかもしれない、つまり同様に命名されるかもしれない。これはユーザに混乱をもたらす。混乱は、ユーザに、表示された利用可能な全プロトコルのリストから間違ったプロトコルを選択させ、失敗を招来させる。混乱のこの潜在源を排除するために、例えば装置を研究設定だけで、または臨床設定だけで使用するかに基づき、プロトコルを選択することのできる装置が要請される。
【先行技術文献】
【特許文献】
【０００６】
２００６年６月１６日付米国特許仮出願第６０／８１４，０６３号
【発明の概要】
【発明が解決しようとする課題】
【０００７】
本発明は、この要請を、指定された特性を具えることのできる装置を提供することにより満足させることを目的とする。つまり本発明は、ユーザに装置の特性を指定させることのできる生物試料処理装置を対象とする。特性には鑑識特性、臨床特性、並びに研究特性を含むことができるが、これらには限定されない。特定の特性を指定すれば、その特性と関連するプロトコルのみが表示され、他の全てのプロトコルはユーザから隠蔽されたままになる。
【課題を解決するための手段】
【０００８】
本発明は１態様において、中央処理装置と、中央処理装置と通信するディスプレイと、中央処理装置と通信した、装置の特性のタイプを選択する手段と、を持つ生物試料処理装置を対象とする。特性のタイプの選択は中央処理装置を促し、選択された特性のタイプに対応した生物試料処理の、予めプログラムされたプロトコルのリストをディスプレイに表示させる。
特性のタイプは研究特性、臨床特性、鑑識特性とするのが好ましい。
特性のタイプを選択する手段は、キーパッドやタッチスクリーンなどのユーザインタフェースを含む。
【０００９】
加えて、生物浄化装置はさらにＲＦＩＤ読取装置、バーコード読取装置、光学的文字認識のできる装置を含むことができ、特性のタイプを選択する手段は、装置と協働するように構成されたウエルのカートリッジに取り付けたＲＦＩＤタグ、バーコード、または語や句を含むことができる。
【００１０】
装置はまた、高容量モードや低容量モードなどのプロトコルのモードを選択する手段も含むことができる。
本発明のこれらの並びにその他の態様は、本発明の好ましい実施形態を記述し図解する、添付図面と併せた以下の詳細な記述を考慮すれば明らかとなろう。
【図面の簡単な説明】
【００１１】
【図１】本発明の生物試料処理装置の１実施形態の斜視図である。
【図２】生物試料処理装置と共用する、ウェルのカートリッジを示した図である。
【図３】本発明の生物試料処理装置の、利用できる特性のタイプを表示したディスプレイを示す図である。
【図４】特性を選択した利用可能なプロトコルを表示するディスプレイの図である。
【図５】利用可能なプロトコルのモードを表示するディスプレイの図である。
【発明を実施するための形態】
【００１２】
本発明は、装置の特性のタイプを選択するセレクタを含んだ生物試料処理装置に関する。この点で、生物試料処理装置の操作者は、選択された特性のタイプに基づき、装置のメモリに格納された表示されるプロトコルを選択することができる。装置の特性のタイプを選択することにより、ユーザはその特性のタイプに関連するプロトコルだけを装置に表示させる。生物試料処理装置の特性のタイプの選択は、利用できるプロトコルのリストからユーザに関与のプロトコルだけを選択することの外に、特に、異なる特性のタイプの２以上のプロトコルが同一に命名されている場合、ユーザがうっかり別の特性に関連するプロトコルを選択することから生じる間違いを排除する助けともなる。こうして、生物試料処理装置を用いて、ＤＮＡ、ＲＮＡ、蛋白質、及びその他の関与の生体試料を様々な設定（例えば研究設定、鑑識科学設定）で繰り返し確実に、そして従来の生物試料処理装置より誤りの可能性を低減させて処理することができる。
【００１３】
加えて、本発明は、特性のタイプの選択によりメニューの選択数が制限されて、装置使用の簡便さが増す点でも有利である。さらに、ユーザに装置の特性のタイプを選択させることにより、製造業者は、装置の使用設定如何に拘わらず各装置に対して同一のソフトウエアパッケージを出荷することができる。つまり、装置が研究設定、鑑識科学設定、または臨床設定で使用されようが、同一のソフトウエアパッケージを各装置に含むことができる。すなわち、製造業者は、特定の設定に合わせた数多のソフトウエアパッケージではなく、１つのソフトウエアパッケージを維持し、棚卸しし、検査するだけでよい。
【００１４】
図１は本発明の装置の１実施形態を示している。生物試料処理装置１は、その外面にディスプレイスクリーン５とキーパッド１０とを持つ。図１に示した実施形態では、キーパッド１０は４つのキー、すなわち運転／停止キー１５、メニューキー２０、アップキー２５、ダウンキー３０を持つ。もちろん、本発明の生物試料処理装置１はディスプレイスクリーン５とキーパッド１０とに限定されない。その他の、ボタンに多寡のあるキーパッド、及び、その他の例えば接触感応型スクリーンなどのディスプレイも、図示したディスプレイスクリーン５とキーパッド１０と併せて、またはこれらの代わりに使用することができる。
【００１５】
ディスプレイスクリーン５とキーパッド１０とに加えて、生物試料処理装置１の外面は、扉３５と取っ手４０とを持つ。扉３５を開けることで、ユーザは生物試料処理装置１の内部に進入できる。
【００１６】
図１に示した装置は内部にフレーム４２を持つ。フレーム４２には、奥行の次元に沿って移動するプラットフォーム４２が結合してある。つまりプラットフォーム４５は扉３５に対して進退することができる。フレーム４２にはまたプランジャ棒５０が結合してある。プランジャ棒は高さの方向に移動する。図１ではプランジャ棒５０は上方の位置にある。装置の作動中、プランジャ棒５０はプラットフォーム４５側へ下降することができる。さらに、プラットフォーム４５の後方には試薬カートリッジスロット５５がある。試薬カートリッジスロット５５に、ユーザは図２に示すカートリッジ６５を配置することができる。加えて、生物試料処理装置１は加熱溶出管スロット６０を含むことができる。
【００１７】
生物試料処理装置１はさらに、ディスプレイスクリーン５とキーパッド１０とに通信する中央処理装置（図示せず）を含む。ＥＥＰＲＯＭなどの不揮発性メモリは生物浄化のための多数のプロトコルを格納する。ユーザによるプロトコルの選択に基づき、中央処理装置は所望のプロトコルの不揮発性メモリにアクセスして、プラットフォーム４５とプランジャ棒５０との動きを、またプロトコルに応じて加熱溶出管スロット６０の加熱とを制御する。
【００１８】
図２は、図１に示した装置と共用可能なカートリッジ６５を示している。カートリッジ６５は、各種の化学薬品と、溶菌溶液や洗浄溶液などの溶液とを入れることのできるウェル７０を持つ。カートリッジは製造業者が予め充填することも、研究者や技術者が特定の生物試料処理アプリケーションや関与のプロトコルに基づいて充填することもできる。カートリッジ６５の各ウェル７０は、生物試料処理プロセスの段階に対応する。カートリッジ６５の一方の端部（図示せず）は試薬カートリッジスロット５５に嵌合するようになっている。
【００１９】
要約すれば、装置は、先ずユーザ／操作者がプラットフォーム４５の試薬カートリッジスロットにカートリッジ６５を、そして加熱溶出管スロット６０に必要な溶出管を配置することで作動する。次にプロトコルを選択すると、プランジャ棒５０がカートリッジ６５のウェル７０に下降する。関与の生体試料は、磁力や、化学反応などの他の方法でプランジャ棒５０に引き付けられる。プラットフォーム４５は、第１の位置から最終位置へ移動しながら、カートリッジ６５の各ウエル７０の場所に対応する位置で停止する。プランジャ棒５０はウエル７０の定位置まで下降すれば、所定の時間の間その位置に止まる。もちろん、プランジャ棒はウェルの一定の場所で、選択されたプロトコルの細目にしたがい、そのウエルを反復的に下降／上昇することができる。所定の周期が過ぎれば、プランジャ棒５０は上昇し、プラットフォーム４５は次のウエル７０の場所に対応する位置へ移動する。プランジャ棒５０は再び下降し、その位置に所定の時間の間滞留する。このプロセスは、プラットフォーム４５が一定の位置に達し、これによりプランジャ棒５０が加熱溶出管スロット６０の真上に位置するまで繰り返される。ワンパスのプロトコルでは、プランジャ棒５０がいったん加熱溶出管を下降／上昇すれば、処理プロトコルは完結し、ユーザはプラットフォーム４５からカートリッジ６５を取り外すことができる。マルチパスのプロトコルでは、プランジャ棒が加熱溶出管を下降／上昇すると、プラットフォームは初期の位置に戻り、別のパスがその位置から実行される。このプロセスは、指示されたパスの数が終了するまで続行される。
【００２０】
プランジャ棒５０の、カートリッジ６５の各ウエル７０への動きにより、目的の生体試料の処理が可能となる。例えば、第１段階としてプランジャ棒５０は、目的の生体試料を含有する試料と、溶菌溶液と、磁粒子溶液とを含んだウェルへ下降する。溶菌溶液は試料の細胞を溶菌し、関与の生体試料は磁粒子と錯体をつくる。磁化可能なプランジャ棒５０はウェルへ下降し、プランジャ棒と生体試料−磁粒子錯体間の磁気吸引により関与の生体試料を抽出する。プランジャ棒は次にウェルから上昇し、プラットフォームは、次のウェルの場所に対応する次の場所へ移動する。このウェルには、例えば洗浄溶液を入れることができる。プランジャ棒がウェルへ下降すると同時に、抽出された生体試料は洗浄される。プランジャ棒はウェルから上昇し、カートリッジのウェルを下降／上昇するプロセスは生物試料処理プロトコルの規定にしたがって続行される。最後に、処理された生体試料は、加熱溶出管スロット６０に配置された加熱溶出管で溶出することができる。この時点で、ユーザは処理された生体試料を回収できる。
【００２１】
一方、生物試料処理装置を最初に使用する前に、ユーザは所望の特性を選択する。特性を選択するには、ユーザは生物試料処理装置をコンセントにつなぎ、これをオンにする。初期の準備機能を実行した後、ディスプレイスクリーン５は利用できる特性のタイプを表示する。図３に示すように、ユーザは、例えば研究特性や鑑識特性などの特性のタイプから選択することができる。もちろん、その他の特性のタイプ例えば臨床特性なども、研究や鑑識の特性に加えて、またはこれらの代わりに表示することができる。所望の特性を選択するには、ユーザはアップキー２５かダウンキー３０かを押して、利用できる特性のタイプの切換えを行う。カーソル７５が所望の特性のタイプに接したら、運転／停止キー１５を押す。
【００２２】
ユーザが特性を選択した後、ディスプレイは選択の一致の確認をユーザに促すことができる。ことに生物試料処理装置は特性の選択により、ユーザからのさらなる指示メッセージがなければ、その特性を想定しその特性を維持するから、この確認段階は、ユーザがうっかり間違った特性を選択するのを防ぐ助けとなる。つまり、装置がいったん研究特性に指定されれば、装置は常に研究特性を保持し、ユーザは各運転の前に装置の特性を選択する必要はない。選択された特性のタイプを示すデータは不揮発性メモリに格納することができる。
【００２３】
選択した特性を変更したければ、ユーザは生物試料処理装置の初期準備機能にアクセスし、特性のタイプの接続を切って選択し直さねばならない。生物試料処理装置が選択された特性のタイプを維持することは、そのことがユーザの誤りを軽減し、かつそのことが、生物試料処理装置が所望のプロトコルのみを遂行するという確かさを浸透させる点で有利である。機関や研究所は、新米の、つまり戸惑うユーザがうっかり適当でない特性を選択した結果、特定の生物試料を汚染または汚損、さらには破壊さえすることを心配しなくともよい。
【００２４】
特性のタイプが選択されると、ディスプレイはその特性のタイプに関連する全プロトコルのリストを表示する。例えば、図４に示すように、ユーザは血液プロトコル、細胞プロトコル、組織プロトコルのうちから選ぶことができる。所望のプロトコルを選択するには、ユーザはアップキー２５かダウンキー３０かを押して、表示されるプロトコルを再び切り換える。カーソル７５が所望のプロトコルに接したら、ユーザは運転／停止キー１５を押す。ディスプレイスクリーンは、不揮発性メモリに格納されたプロトコルの数と、選択プロセスの分類法とに応じて多寡があっても構わない。例えば、生物試料処理装置が、細胞、組織、血液からゲノムのＤＮＡ、ＲＮＡ、蛋白質を処理するプロトコルを格納しておれば、特性選択確認のスクリーンの次の最初のディスプレイスクリーンは、ＤＮＡ、ＲＮＡ、蛋白質から選択するようにユーザを促すことができる。この選択に引き続き、ユーザは次に細胞、組織、血液のうちから選択することができる。別法として、プロトコルを一緒にグループにして、ユーザが例えばＤＮＡ血液、ＲＮＡ血液、蛋白質血液などから選択できるようにすることもできる。またさらなる別法として、選択を単純に、細胞、組織、血液の選択に制限することもできる。本発明は、上述した所望のプロトコル選択法に限定されず、その他の方法論も本発明の範囲内に包含されるのはもちろんである。
【００２５】
装置の精巧さにより、ユーザが血液、組織、または細胞を選択すると、ディスプレイスクリーンは、選択されたプロトコルが所望のプロトコルであるという確認をユーザに促すことができる。ユーザが選択されたプロトコルが所望のプロトコルであると確認すれば、装置は選択されたプロトコルを実行する。
【００２６】
ユーザがプロトコルを間違って選択した場合、ユーザは間違いであることを確認スクリーン上で指摘すれば、ディスプレイはプロトコル選択スクリーンに戻り、その時点でユーザは所望のプロトコルを選択することができる。また、プロトコル選択プロセスのどこかの時点で、ユーザが誤りであることを認識した場合、ユーザはメニューキー２０を押してプロトコル選択プロセスの初めに戻ることができる。
【００２７】
加えて、装置は、ユーザが所望のプロトコルを選択すれば、図５に示すように所望のプロトコルを例えば基準容量溶出プロトコルモードか、低容量溶出プロトコルモードかで走らせる選択をユーザに促がすことのできる機能を持つ。溶出容量モードの選択で、作動中プランジャ棒が下降する距離が制御される。別法として、低容量／基準容量溶出モードの選択は、特性の選択に組み入れることができる。つまり、ユーザは初期に、高容量の研究特性、低容量の研究特性、高容量の鑑識特性、低容量の鑑識特性、またはその他の、モードと特性のタイプとのこうした組合せから選択することができる。
【００２８】
容量の選択に加えて、必要なプランジャ棒の数、プロトコル中に実行されるパスの数、溶出管を加熱する温度などの選択もユーザに促すことができる。全ての選択がなされ、選択の正しいことをユーザが確認すれば、装置は選択された生物試料処理プロトコルを実行する。
【００２９】
ユーザがディスプレイスクリーン５とキーパッド１０とを介して装置の特性を選択する実施形態の代案として、特性の選択、プロトコルの選択、及びモードの選択は、代わりに、カートリッジ６５に取り付けられた無線周波数同定（ＲＦＩＤ）タグに拠ることもできる。この実施形態では、装置はＲＦＩＤタグ（図示せず）を読み取ることのできる読取装置（図示せず）を含む。ユーザが特定のプロトコルを走らせたい場合、ユーザは、適当なＲＦＩＤタグを選択してそれをカートリッジ６５に取り付けるか、またはユーザは取付ＲＦＩＤタグをすでに取り付けたカートリッジ６５を選択する。ユーザは次に扉３０を開いてプラットフォーム４５にカートリッジ６５を載置し、扉を閉める。扉が閉まると、読取装置は生物試料処理装置の内部を走査して、カートリッジのＲＦＩＤタグを読み取る。ＲＦＩＤタグが読み取られると、生物試料処理装置は指示されたプロトコルを走らせる。
【００３０】
別の代案では、装置は、カートリッジ６５に取り付けられたバーコードを読み取るバーコード読取装置（図示せず）を含む。ユーザが特定のプロトコルを走らせたい場合、ユーザは適当なバーコードを選択してそれをカートリッジ６５に取り付けるか、またはユーザはバーコードをすでに取り付けたカートリッジを選択する。ユーザは次に扉３０を開いてプラットフォーム４５にカートリッジ６５を載置し、扉を閉める。扉が閉まると、バーコード読取装置は生物試料処理装置の内部を走査して、カートリッジのバーコードを読み取る。バーコードが読み取られると、生物試料処理装置は指示されたプロトコルを走らせる。
【００３１】
さらに別の代案では、装置は光学的文字認識（ＯＣＲ）のできる装置を含む。特定のプロトコルを走らせるには、ユーザは語や句をカートリッジ６５に取り付けるか、または特定の、関与のプロトコルに対応する語や句を取り付けたカートリッジを選択する。ユーザは次に扉３０を開いてプラットフォーム４５にカートリッジ６５を載置し、扉を閉める。扉が閉まると、装置は処理装置の内部を走査して、カートリッジの語や句を読み取る。語や句が読み取られると、生物試料処理装置は指示されたプロトコルを走らせる。
【００３２】
ＲＦＩＤタグ、バーコード、またはＯＣＲシステムを使用すれば、ユーザが誤りを冒す機会を制限することにより、ユーザの誤りはさらに防ぐことができる。特定のプロトコルを走らせるために、ディスプレイスクリーン５に表示される選択範囲を切り換えて種々の選択肢を選択するのではなく、ユーザは単に例えば適当なＲＦＩＤタグ、またはＲＦＩＤタグを含むカートリッジを選択すれば、誤りの潜在源は制限され、生物試料処理プロトコルの信頼性はさらに高揚する。
本発明を説明的な実施形態を参照しながら記述したが、了解されるように本願に用いた用語は制限のためではなく説明のための用語である。多様な変更並びに変態は、添付クレームに記載した本発明の範囲並びに精神から逸脱しなければ、これをなすことができる。
【符号の説明】
【００３３】
１    生物試料処理装置
５    ディスプレイスクリーン
１０    キーパッド
１５    運転／停止キー
２０    メニューキー
２５    アップキー
３０    ダウンキー
３５    扉
４０    取っ手
４２    フレーム
４５    プラットフォーム
５０    プランジャ棒
５５    試薬カートリッジスロット
６０    加熱溶出管スロット
【図１】
2009540336.tif 000003
【図２】
2009540336.tif 000004
【図３】
2009540336.tif 000005
【図４】
2009540336.tif 000006
【図５】
2009540336.tif 000007
【国際調査報告】
2009540336.tif 000008